(57)【特許請求の範囲】
【請求項１】
電気溶着した金属層（３）で被覆した外部時計エレメント（２）に装飾部（１）を固定する方法であって、
ａ）前記外部エレメントとして使用する基板（２）（図１）を用意するステップと、
ｂ）前記基板に組み入れる装飾部（１）を用意する（図２）ステップと、
ｃ）組み入れる前記装飾部（１）の寸法の孔（４）を少なくとも部分的に前記基板（２）に開ける（図３）ステップと、
ｄ）このようにして形成した孔（４）（図４）に、前記孔（４）の寸法に適合したダミー部（５）を挿入するステップと、
ｅ）前記基板（２）上に金属層（３）を電気溶着する（図５）ステップと、
ｆ）前記ダミー部（５）を前記基板（２）から取り除く（図７）ステップと、
ｇ）前記装飾部（１）を前記基板（２）に挿入し、前記基板と接着剤で結合（図８）固定するか、または前記基板に装着するステップとから構成されることを特徴とする方法。
【請求項２】
請求項１のステップｅ）とｆ）の間に、前記金属層（３）を平らにするステップｈ）（図６）を更に有することを特徴とする請求項１記載の方法。
【請求項３】
前記基板（２）は絶縁材であることと、前記ステップｅ）はクロムおよび金の薄層を含む金属化ステップの後に実施することと、前記電気溶着した金属層（３）は金層であることとを特徴とする、請求項１又は２に記載の方法。
【発明の詳細な説明】
【技術分野】
【０００１】
本発明は、電気溶着した金属層で被覆した外部時計エレメントに装飾部を固定したり、また挿入部品を固定する方法およびこの方法により作製した外部エレメントに関する。
【背景技術】
【０００２】
従来、外部時計エレメントに装飾部を挿入または組み入れる場合、この外部時計エレメントを電気溶着金属層で被覆したのち、装飾部を嵌入する箇所内の少なくとも部分的に上記エレメントに穿孔し、これによって形成された孔の径を増大させながら嵌入される装飾部の寸法に適合させる。
【発明の概要】
【発明が解決しようとする課題】
【０００３】
このように、電気溶着を外部時計エレメントに予め形成すると、装飾部品用の嵌入用孔を開ける機械処理が必要になり、このため孔の入口周囲にある溶着部が傷つくリスクがあり、これによってきれいな縁にならないため、高級品市場の時計には美観の観点から受け入れられない。
【課題を解決するための手段】
【０００４】
そのため、本明細書の第１段落に記載されている内容を満たした上で、外部時計エレメントとして使用する基板を用意し、この基板に組み入れる予定の装飾部を用意し、組み入れる装飾部の寸法の孔をこの基板に開ける第１の一連の工程を含むほか、本方法は、このようにして形成した孔にこの孔の寸法に適合したダミー部を挿入することと、基板上に金属層を電気溶着することと、必要であればこの金属層を平らにし、ダミー部は基板から取り除き、装飾部は基板に挿入し、基板は例えば接着剤による結合などで固定することとを特徴とする。
【０００５】
本発明はまた、上記の方法により作製した外部時計エレメントにも関する。
【０００６】
本発明の特徴および利点は、添付の図面を参照して記載し、有利な実施形態を説明のために非限定的な例として提供した以下の説明文から明らかになるであろう。
【図面の簡単な説明】
【０００７】
【図１】外部エレメントとして使用した基板の半径方向の断面図であり、基板はこの場合腕時計のベゼルである。
【図２】基板に組み入れる装飾部の図であり、基板はこの場合発光ディスクである。
【図３】装飾部を挿入するために穿孔した基板の図である。
【図４】基板の孔に挿入したダミー部の図である。
【図５】電気溶着操作の図である。
【図６】電気溶着部を平らにする操作の図である。
【図７】ダミー部のない基板の図である。
【図８】装飾部を備えた最終基板の図である。
【発明を実施するための形態】
【０００８】
図１は「基板」と称する外部時計エレメント２を示し、この基板に装飾部を組み入れる。具体的に本明細書では、このエレメントは腕時計のベゼルである。図２に装飾部１を示す。装飾部１で支持するサファイアクリスタル７の下に配置するのは発光ディスク６である。このディスクは「ルミノバ」（登録商標）という名で知られている発光ディスクである。図３では、基板２の両面に孔が開いている。一変形例によれば、この孔はめくら孔であってもよい。この穿孔部はいくつかの段部またはショルダー部を含む。段部８および段部９はディスク６を受容するためのものであり、段部１０は、以下に説明するように電気溶着部を受容するために形成する。
【０００９】
図４に示すように、穿孔した基板２にはダミー部５を挿入する。このダミー部は、一時的な挿入物であり、本発明の主要部を形成するものである。このダミー部は、後で施す電気溶着物が孔８に進入するのを防止するものであり、そのためにダミー部５は、孔８の形状に完全に合致するサイズにして、溶着物の進入するのを防止する。ダミー部５は、例えばプラスチック材料などの絶縁材で作製する。ポリオキシメチレン（ＰＯＭ）射出成形によって得ることもできる。
【００１０】
図５は、電気溶着の説明図であって、この電気溶着は符号３で示している。基板２が例えば金属、鋼鉄または真鍮であれば、電着操作は問題なく実施されるが、電着すべきではない領域は分離しなければならず、これは容易ではない。本明細書において好適な例では、基板は例えばＺｒＯ2セラミック（二酸化ジルコニウム）などの絶縁材、または適切なプラスチック材で作製し、基板２を金属で被覆しなければならない場合は、この処理は実際の電着処理の前に行う。そのため、例えばクロム（５０ｎｍ）および金（５０ｎｍ）の薄層はＰＶＤによって溶着し、この層に対して電気溶着部を適切に接着することができる。溶着部は金５Ｎ１８でもよい。図５はこの溶着部３を示し、この溶着部の上面に凸凹があってもよい。このような場合、必要であれば溶着部は平らにして所望の場所だけに残るようにし、この場合は段部１０を超えないようにする。図６は、平らにした後に基板２がどのように見えるかを示している。この図は、ダミー部５を溶着部３と同じ高さにしたことも示している。この操作が終了すると、ダミー部５は矢印Ａの方向へ逆に押して基板２から取り除いてよい。
【００１１】
図７は、ダミー部５のない基板２を示す。ダミー部の頭部と電気溶着部３との間に接着性は生じないため、溶着部の縁はきれいで鮮明に見える。装飾部１は最終的に、図８に示すように形成されたスペースに挿入することができる。装飾部は、図８の１１で示す場所に塗布した接着剤によって接着される。装飾部は、他の適切な固定方法によって装着または固定してもよい。
【００１２】
これまで記載した実施例では、一個の装飾部１で説明しており、この場合この装飾部は、回転する腕時計のベゼルに装着した発光ディスクである。このディスクは、例えば注意すべき減圧停止を表示するダイバー用の腕時計に装着することができる。また、ベゼルである１つの基板に複数の装飾部を同じ方法で組み入れることができることは明らかである。したがって、時間を示す１２個の記号をベゼルに組み入れることができる。
【００１３】
上記のように、本発明は、装飾部を装着した外部エレメントの作製を実施する方法だけでなく、該方法により作製した実際の外部エレメントにも関するものであり、エレメントまたは基板は、例えば鋼鉄などの導電材、または例えばセラミック材などの非導電材で作製する。特に、本明細書で例として引用したエレメントは腕時計のベゼルだが、これは腕時計の中間部材すなわち文字盤であってもよい。同じように、外部エレメントに装着する装飾部は発光ディスクに限らず、上記で言及したように、ベゼルに刻まれている、時間を示す記号であってもよい。
【図１】
0005456105.tif 000002
【図２】
0005456105.tif 000003
【図３】
0005456105.tif 000004
【図４】
0005456105.tif 000005
【図５】
0005456105.tif 000006
【図６】
0005456105.tif 000007
【図７】
0005456105.tif 000008
【図８】
0005456105.tif 000009